(57)【特許請求の範囲】
【請求項１】
通信システムにおける移動端末が送信電力を制御する方法であって、
開ループ電力制御で使用される、アップリンクデータチャンネル信号の送信電力を第１のオフセットを使用して決定するステップと、
閉ループ電力制御で使用される、アップリンク制御チャンネル信号の送信電力を第２のオフセットを使用して決定するステップと、を具備し、
前記第１のオフセットと第２のオフセットは基地局から受信され、
前記アップリンク制御チャンネル信号の送信電力を第２のオフセットを使用して決定するステップは、サブキャリア当たり干渉及び雑音レベルと、前記移動端末と基地局間のリンクの経路損失と、ターゲットとするアップリンク受信信号対干渉雑音比と、前記第２のオフセットを用いて前記アップリンク制御チャンネル信号の送信電力を決定するステップを具備することを特徴とする方法。
【請求項２】
前記アップリンクデータチャンネル信号の送信電力を第１のオフセットを使用して決定するステップは、
前記サブキャリア当たり干渉及び雑音レベルと、前記移動端末と基地局間のリンクの経路損失と、前記ターゲットとするアップリンク受信信号対干渉雑音比と、前記第１のオフセットを使用して前記アップリンクデータチャンネル信号の送信電力を決定するステップを具備することを特徴とする請求項１に記載の方法。
【請求項３】
前記経路損失は、前記基地局によってブロードキャストされる測定関連パラメータを用いて測定され、前記測定関連パラメータは、前記アップリンク制御チャンネル信号の送信
電力を決定する場合に使用される経路損失を測定するために使用される測定関連パラメータと相互に異なることを特徴とする請求項２に記載の方法。
【請求項４】
前記アップリンクデータチャンネル信号の送信電力を第１のオフセットを使用して決定するステップは、下記の＜数式１＞と＜数式２＞のうちいずれか一つのように示されることを特徴とする請求項１乃至３のいずれか１項に記載の方法。
【数１】
0005630907.tif 000007
ここで、Ｐ_ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数２】
0005630907.tif 000008
ここで、α、β、γ、δ、及びεは変数を表す。
【請求項５】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項４に記載の方法。
【請求項６】
前記アップリンク制御チャンネル信号の送信電力を第２のオフセットを使用して決定するステップは、下記の＜数式３＞と＜数式４＞のうちいずれか一つのように示されることを特徴とする請求項１乃至３のいずれか１項に記載の方法。
【数３】
0005630907.tif 000009
ここで、Ｐ＿ｃｏｎｔｒｏｌは前記移動端末に割り当てられたアップリンク制御チャンネル送信領域のサブキャリア当たり送信電力を、ＮＩはサブキャリア当たり干渉及び雑音レベルを、Ｌ２は前記移動端末と基地局間のリンクの経路損失を、ＳＩＮＲTargetはターゲットとするアップリンク受信信号対干渉雑音比を、ＯｆｆｓｅｔCLPCは前記第２のオフセットを、各々意味する。
【数４】
0005630907.tif 000010
ここで、α、β、γ、δ、及びηは変数を表す。
【請求項７】
前記ＯｆｆｓｅｔCLPCは下記の＜数式５＞のように表現されることを特徴とする請求項６に記載の方法。
【数５】
0005630907.tif 000011
ここで、ΔPowerAdjustは、ＯｆｆｓｅｔCLPCを訂正するための電力訂正値を表し、前記基地局から受信される。
【請求項８】
前記Ｌ２は、前記基地局によってブロードキャストされる測定関連パラメータを用いて測定され、前記測定関連パラメータは、前記アップリンクデータチャンネル信号の送信電力を決定する場合に使用される経路損失を測定するために使用される測定関連パラメータと相互に異なることを特徴とする請求項６又は７に記載の方法。
【請求項９】
前記アップリンクデータチャンネル信号の送信電力を第１のオフセットを使用して決定するステップは、下記の＜数式６＞と＜数式７＞のうちいずれか一つのように示され、前記アップリンク制御チャンネル信号の送信電力を第２のオフセットを使用して決定するステップは、下記の＜数式８＞と＜数式９＞のうちいずれか一つのように示されることを特徴とする請求項１乃至３のいずれか１項に記載の方法。
【数６】
0005630907.tif 000012
ここで、Ｐ＿ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数７】
0005630907.tif 000013
ここで、α、β、γ、δ、及びεは変数を表す。
【数８】
0005630907.tif 000014
ここで、Ｐ＿ｃｏｎｔｒｏｌは前記移動端末に割り当てられたアップリンク制御チャンネル送信領域のサブキャリア当たり送信電力を、Ｌ２は前記移動端末と基地局間のリンクの経路損失を、ＯｆｆｓｅｔCLPCは前記第２のオフセットを、各々意味する。
【数９】
0005630907.tif 000015
ここで、ηは変数を表す。
【請求項１０】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項９に記載の方法。
【請求項１１】
前記ＯｆｆｓｅｔCLPCは、下記の＜数式１０＞のように表されることを特徴とする請求項９又は１０に記載の方法。
【数１０】
0005630907.tif 000016
ここで、ΔPowerAdjustは、ＯｆｆｓｅｔCLPCを訂正するための電力訂正値を表し、前記基地局から受信される。
【請求項１２】
前記Ｌ２は、前記基地局によってブロードキャストされる測定関連パラメータを用いて測定され、前記測定関連パラメータは、前記アップリンクデータチャンネル信号の送信電力を決定する場合に使用される経路損失を測定するために使用される測定関連パラメータと相互に異なることを特徴とする請求項９乃至１１のいずれか１項に記載の方法。
【請求項１３】
通信システムにおける移動端末であって、
開ループ電力制御で使用される、アップリンクデータチャンネル信号の送信電力を第１のオフセットを使用して決定し、閉ループ電力制御で使用される、アップリンク制御チャンネル信号の送信電力を第２のオフセットを使用して決定する制御器を含み、
前記第１のオフセットと第２のオフセットは基地局から受信され、
前記制御器は、サブキャリア当たり干渉及び雑音レベルと、前記移動端末と基地局間のリンクの経路損失と、ターゲットとするアップリンク受信信号対干渉雑音比と、前記第２のオフセットを用いて前記アップリンク制御チャンネル信号の送信電力を決定することを特徴とする移動端末。
【請求項１４】
前記制御器は、前記サブキャリア当たり干渉及び雑音レベルと、前記移動端末と基地局間のリンクの経路損失と、前記ターゲットとするアップリンク受信信号対干渉雑音比と、前記第１のオフセットを用いて前記アップリンクデータチャンネル信号の送信電力を決定することを特徴とする請求項１３に記載の移動端末。
【請求項１５】
前記経路損失は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項１４に記載の移動端末。
【請求項１６】
前記制御器は、下記の＜数式１１＞と＜数式１２＞のうちいずれか一つを使用してアップリンクデータチャンネル信号の送信電力を決定することを特徴とする請求項１３乃至１５のいずれか１項に記載の移動端末。
【数１１】
0005630907.tif 000017
ここで、Ｐ＿ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数１２】
0005630907.tif 000018
ここで、α、β、γ、δ、及びεは変数を表す。
【請求項１７】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項１６に記載の移動端末。
【請求項１８】
前記制御器は、下記の＜数式１３＞と＜数式１４＞のうちいずれか一つを使用してアップリンク制御チャンネル信号の送信電力を決定することを特徴とする請求項１３乃至１５のいずれか１項に記載の移動端末。
【数１３】
0005630907.tif 000019
ここで、Ｐ＿ｃｏｎｔｒｏｌは前記移動端末に割り当てられたアップリンク制御チャンネル送信領域のサブキャリア当たり送信電力を、ＮＩはサブキャリア当たり干渉及び雑音レベルを、Ｌ２は前記移動端末と基地局間のリンクの経路損失を、ＳＩＮＲTargetはターゲットとするアップリンク受信信号対干渉雑音比を、ＯｆｆｓｅｔCLPCは前記第２のオフセットを、各々意味する。
【数１４】
0005630907.tif 000020
ここで、α、β、γ、及びηは変数を表す。
【請求項１９】
前記ＯｆｆｓｅｔCLPCは下記の＜数式１５＞のように表現されることを特徴とする請求項１８に記載の移動端末。
【数１５】
0005630907.tif 000021
ここで、ΔPowerAdjustは、ＯｆｆｓｅｔCLPCを訂正するための電力訂正値を表し、前記基地局から受信される。
【請求項２０】
前記Ｌ２は、前記基地局によってブロードキャストされる測定関連パラメータを用いて測定され、前記測定関連パラメータは、前記アップリンクデータチャンネル信号の送信電力を決定する場合に使用される経路損失を測定するために使用される測定関連パラメータと相互に異なることを特徴とする請求項１８又は１９に記載の移動端末。
【請求項２１】
前記制御器は、下記の＜数式１６＞と＜数式１７＞のうちいずれか一つを使用して前記アップリンクデータチャンネル信号の送信電力を決定し、下記の＜数式１８＞と＜数式１９＞のうちいずれか一つを使用して前記アップリンク制御チャンネル信号の送信電力を決定することを特徴とする請求項１３乃至１５のいずれか１項に記載の移動端末。
【数１６】
0005630907.tif 000022
ここで、Ｐ＿ｄａｔａは前記移動端末に割り当てられたアップリンクデータチャンネル送信領域のサブキャリア当たり送信電力を、ＮＩはサブキャリア当たり干渉及び雑音レベルを、Ｌ１は前記移動端末と基地局間のリンクの経路損失を、ＳＩＮＲTargetはターゲットとするアップリンク受信信号対干渉雑音比を、Ｏｆｆｓｅｔは前記第１のオフセットを、各々意味する。
【数１７】
0005630907.tif 000023
ここで、α、β、γ、δ、及びεは変数を表す。
【数１８】
0005630907.tif 000024
ここで、Ｐ＿ｃｏｎｔｒｏｌは前記移動端末に割り当てられたアップリンク制御チャンネル送信領域のサブキャリア当たり送信電力を、Ｌ２は前記移動端末と基地局間のリンクの経路損失を、ＯｆｆｓｅｔCLPCは前記第２のオフセットを、各々意味する。
【数１９】
0005630907.tif 000025
ここで、ηは変数を表す。
【請求項２２】
前記Ｌ１は、前記基地局によってブロードキャストされる測定関連パラメータを用いて測定され、前記測定関連パラメータは、前記アップリンク制御チャンネル信号の送信電力を決定する場合に使用される経路損失を測定するために使用される測定関連パラメータと相互に異なることを特徴とする請求項２１に記載の移動端末。
【請求項２３】
前記ＯｆｆｓｅｔCLPCは、下記の＜数式２０＞のように表されることを特徴とする請求項２１又は２２に記載の移動端末。
【数２０】
0005630907.tif 000026
ここで、ΔPowerAdjustは、ＯｆｆｓｅｔCLPCを訂正するための電力訂正値を表し、前記基地局から受信される。
【請求項２４】
前記Ｌ２は、前記基地局によってブロードキャストされる測定関連パラメータを用いて測定され、前記測定関連パラメータは、前記アップリンクデータチャンネル信号の送信電力を決定する場合に使用される経路損失を測定するために使用される測定関連パラメータと相互に異なることを特徴とする請求項２１乃至２３のいずれか１項に記載の移動端末。
【請求項２５】
通信システムにおける基地局が移動端末の送信電力を制御する方法であって、
移動端末が開ループ電力制御で使用される、アップリンクデータチャンネル信号の送信電力を決定するために使用される第１のオフセットを決定するステップと、
前記移動端末が閉ループ電力制御で使用される、アップリンク制御チャンネル信号の送信電力を決定するために使用される第２のオフセットを決定するステップと、
前記第１のオフセットと第２のオフセットを前記移動端末に送信するステップと、
を具備することを特徴とする方法。
【請求項２６】
通信システムにおける基地局であって、
移動端末が開ループ電力制御で使用される、アップリンクデータチャンネル信号の送信電力を決定するために使用される第１のオフセットを決定し、前記移動端末が閉ループ電力制御で使用される、アップリンク制御チャンネル信号の送信電力を決定するために使用される第２のオフセットを決定する制御器と、
前記第１のオフセットと第２のオフセットを前記移動端末に送信する送信器と、
を含むことを特徴とする基地局。
【発明の詳細な説明】
【技術分野】
【０００１】
本発明は、通信システムにおけるアップリンク送信電力を制御する装置及び方法に関するものである。
【背景技術】
【０００２】
一般的な通信システムでは、システム容量を増大させ、サービス品質を向上させるためにダウンリンク(downlink)及びアップリンク(uplink)の送信電力制御方式を使用している。ここで、アップリンク送信電力制御方式は、大きく開ループ電力制御(Open  Loop  Power  Control：以下、“ＯＬＰＣ”と称する)方式及び閉ループ電力制御(Closed  Loop  Power  Control：以下、“ＣＬＰＣ”と称する)方式に分類される。一般にＣＬＰＣ方式は、チャンネルの短期フェージング(short-term  fading)を補償するために使用され、ＯＬＰＣ方式は短期フェージングを除いたパラメータ、例えば経路損失(pathloss）と、シャドウイング(shadowing)のような大きなパラメータを補償するために使用される。
【０００３】
現在提案されている通信システムで遂行されているアップリンク送信電力制御動作について説明すると、次のようである。
【０００４】
第一に、コード分割多重接続(Code  Division  Multiple  Access：以下、“ＣＤＭＡ”と称する)通信システムは、ＯＬＰＣ方式とＣＬＰＣ方式すべてを使用してアップリンク送信電力制御動作を遂行する。
【０００５】
第二に、直交周波数分割多重接続(Orthogonal  Frequency  Division  Multiplexing  Access：以下、“ＯＦＤＭＡ”と称する)通信システムは、ＯＬＰＣ方式とＣＬＰＣ方式のうちいずれか一つを使用してアップリンク送信電力制御動作を遂行する。すなわち、１個の移動端末(Mobile  Station：以下、“ＭＳ”と称する)に対してＣＬＰＣ方式を使用してアップリンク送信電力制御動作を遂行した後にＯＬＰＣ方式を使用し、あるいはＯＬＰＣ方式を使用してアップリンク送信電力制御動作を遂行した後にＣＬＰＣ方式を使用して、アップリンク送信電力制御動作を遂行する。
【０００６】
上記したように、従来の通信システムにおいては、ＯＬＰＣ方式およびＣＬＰＣ方式の両方を使用してアップリンク送信電力制御動作を遂行し、あるいはＯＬＰＣ方式またはＣＬＰＣ方式のうちいずれか一つを使用してアップリンク送信電力制御動作を遂行するだけであり、該当通信システムのチャンネル別に差別化されたアップリンク送信電力制御動作を遂行していないという問題点があった。
【先行技術文献】
【特許文献】
【０００７】
【特許文献１】ＵＳ７７３８９０７
【特許文献２】ＵＳ７５６１８９４
【発明の概要】
【発明が解決しようとする課題】
【０００８】
したがって、本発明は上記した従来技術の問題点に鑑みてなされたものであって、その目的は、通信システムにおけるアップリンク送信電力を制御する装置及び方法を提供することにある。
【０００９】
また、本発明の他の目的は、通信システムにおけるチャンネル別に差別化されたアップリンク送信電力制御動作を遂行する装置及び方法を提供することにある。
【課題を解決するための手段】
【００１０】
上記のような目的を達成するために、本発明の一態様によれば、通信システムにおける移動端末は、アップリンクデータチャンネル信号のアップリンク送信電力を開ループ電力制御方式を使用して決定し、アップリンク制御チャンネル信号のアップリンク送信電力を、閉ループ電力制御方式を使用して決定する制御器を含む。
【００１１】
本発明の他の態様によれば、通信システムにおける移動端末がアップリンク送信電力を制御する方法であって、アップリンクデータチャンネル信号のアップリンク送信電力を開ループ電力制御方式を使用して決定するステップと、アップリンク制御チャンネル信号のアップリンク送信電力を閉ループ電力制御方式を使用して決定するステップとを具備することを特徴とする。
【発明の効果】
【００１２】
本発明は、通信システムにおいてチャンネル別に差別化されたアップリンク送信電力制御を可能にする効果がある。このようにチャンネル別に差別化されたアップリンク送信電力制御が可能であるため、チャンネル特性を考慮したアップリンク送信電力制御が可能になり、それによって通信システム全体の性能が向上する効果がある。
【図面の簡単な説明】
【００１３】
【図１】ＯＦＤＭＡ通信システムにおけるＯＬＰＣ方式とＣＬＰＣ方式を使用してアップリンクデータチャンネルに対するアップリンク送信電力制御動作を遂行する場合、短期フェージングの補償有無による性能差を示すグラフである。
【図２】本発明の実施形態による基地局の内部構成を示す図である。
【図３】本発明の実施形態によるＭＳの内部構成を示す図である。
【図４】本発明の実施形態による基地局の動作を示すフローチャートである。
【図５】本発明の実施形態によるＭＳの動作を示すフローチャートである。
【発明を実施するための形態】
【００１４】
以下、本発明の望ましい実施形態を添付の図面を参照して詳細に説明する。図面において、同一の構成要素に対してはできるだけ同一の参照符号及び参照番号を付して説明する。下記の説明で、本発明に関連した公知の機能又は構成に関する具体的な説明が本発明の要旨を不明にすると判断された場合に、その詳細な説明を省略する。また、本発明の範囲及び精神を逸脱することなく、以下に説明される本発明の様々な変形及び変更が可能であることは、当該技術分野における通常の知識を持つ者には明らかである。
【００１５】
本発明は、通信システムにおけるアップリンク送信電力を制御する装置及び方法を提供する。また、本発明は、通信システムでチャンネル別に差別化されたアップリンク送信電力制御動作を遂行する装置及び方法を提供する。本発明では、通信システムが一例として直交周波数分割多重接続(ＯＦＤＭＡ)通信システムであると仮定する。本発明で提供するアップリンク送信電力制御装置及び方法は、ＯＦＤＭＡ通信システムだけでなく、他の通信システムでも使用されることができることはもちろんである。また、本発明で提供するアップリンク送信電力制御装置及び方法は、チャンネル別に補償されるパラメータが異なる通信システム、すなわちチャンネル別に特性が異なる通信システムで有用に使用され得る。
【００１６】
まず、一般的な通信システムでは、チャンネルに対して同一の送信電力制御方式を使用する。チャンネルは、アップリンクデータチャンネルとアップリンク制御チャンネルであると仮定する。一例として、コード分割多重接続(ＣＤＭＡ)通信システムにおいて、移動端末(ＭＳ)は、開ループ電力制御(ＯＬＰＣ)方式及び閉ループ電力制御(ＣＬＰＣ)方式を同時に使用してアップリンクデータチャンネルとアップリンク制御チャンネルに対するアップリンク送信電力を制御する。ＯＦＤＭＡ通信システムにおいて、ＭＳは、ＯＬＰＣ方式とＣＬＰＣ方式のうちいずれか一つを使用してアップリンクデータチャンネルとアップリンク制御チャンネルに対するアップリンク送信電力を制御する。すなわち、ＣＤＭＡ通信システム及びＯＦＤＭＡ通信システムともは、アップリンクデータチャンネル及びアップリンク制御チャンネルを別途に区分せずに、アップリンク送信電力制御動作を遂行する。
【００１７】
一方、回路(circuit)送信に基づいた通信システムでは、アップリンク送信電力制御を通じて短期フェージングを補償する方式によってアップリンクシステム性能を最適化する。しかしながら、パケット(packet)送信に基づいた通信システム、例えば、ＯＦＤＭＡ通信システムでは短期フェージングを補償する代わりにリンク適応(link  adaptation)方式によってアップリンクシステム性能を最適化することができる。また、ＯＦＤＭＡ通信システムでは、リンク適応方式だけでなくハイブリッド自動再送要求(Hybrid  Automatic  Repeat  request：以下、“ＨＡＲＱ”と称する)方式を使用してレート制御(rate  control)を可能にする。なお、レート制御は、アップリンクシステム性能を最適化することができる。
【００１８】
また、ＯＦＤＭＡ通信システムがマルチセルベースのシステムである場合、セル間干渉は、アップリンクシステム性能、特にセルエッジ性能(cell  edge  performance)に大きな影響を及ぼす。したがって、干渉レベルを調整することが重要であり、干渉レベル調整は、干渉の平均及び分散を低く維持することを目的とする。干渉レベルを考慮する場合、アップリンク送信電力制御動作を遂行して短期フェージングを補償することは、ＭＳ別にフェージングによって出力電力の変動をもたらすので、干渉レベルの分散に悪影響を及ぼす。したがって、ＯＦＤＭＡ通信システムがマルチセルベースの通信システムである場合に、ＭＳが出力電力を一定に維持することは干渉レベルの分散の面で良く、それによってアップリンクシステムの性能を最適化することができる。
【００１９】
図１を参照して、ＯＦＤＭＡ通信システムにおいてＯＬＰＣ方式とＣＬＰＣ方式を使用してアップリンクデータチャンネルに対するアップリンク送信電力制御動作を遂行する場合に、短期フェージングの補償有無による性能差について説明する。
【００２０】
図１は、ＯＦＤＭＡ通信システムにおけるＯＬＰＣ方式とＣＬＰＣ方式を使用してアップリンクデータチャンネルに対するアップリンク送信電力制御動作を遂行する場合に、短期フェージングの補償有無による性能差を示すグラフである。
【００２１】
図１を参照すれば、モデル１はＯＬＰＣ方式を使用した場合を示し、モデル２はＣＬＰＣ方式を使用した場合を示す。図１に示す性能グラフは、アップリンクデータチャンネルにＨＡＲＱ方式とリンク適応方式を使用した場合を示す。また、図１で、棒グラフはセクタスループット(sector  throughput）を、線グラフはエッジスループット(edge  throughput)を、各々示す。図１に示すように、短期フェージング補償を遂行しない場合は、短期フェージング補償を遂行する場合に比べてセクタスループット及びエッジスループット共に約１０％内外の性能向上を示すことがわかる。
【００２２】
アップリンクデータチャンネルとは異なって、ＨＡＲＱ方式及びリンク適応方式は、アップリンク制御チャンネルには使用されない。アップリンク制御チャンネルが要求するターゲット誤り率(Target  Error  Rate：以下、“ＴＥＲ”と称する）を満足させるために要求される受信信号対干渉雑音比(Signal  to  Interference  and  Noise  Ratio：以下、“ＳＩＮＲ”と称する）の維持が必須的である。したがって、アップリンクデータチャンネルとは異なり、アップリンク制御チャンネルの場合には短期フェージング補償が必須である。
【００２３】
上記したように、ＯＦＤＭＡ通信システムでは、アップリンクデータチャンネルとアップリンク制御チャンネルの各々に対して差別化されたアップリンク送信電力制御方式を使用することによって、アップリンクシステムの性能を最適化させなければならない。したがって、本発明は、アップリンクデータチャンネルとアップリンク制御チャンネルの各々に対して差別化されたアップリンク送信電力制御方式を提供し、これについて具体的に説明すると、次のようである。
【００２４】
最初に、アップリンクデータチャンネルのアップリンク送信電力は、下記の＜数式１＞によって制御される。
【００２５】
【数１】
0005630907.tif 000002
ここで、Ｐ_ｄａｔａは、ＭＳに割り当てられたアップリンクデータチャンネル送信領域のサブキャリア(sub-carrier)当たりアップリンク送信電力を、ＮＩはサブキャリア当たり干渉及び雑音レベルを、Ｌ１はＭＳとサービング基地局(ＢＳ)間のリンクの経路損失を、ＳＩＮＲTargetはターゲットとするアップリンク受信ＳＩＮＲを、Ｏｆｆｓｅｔはアップリンクデータチャンネル信号のアップリンク送信電力を補正するための補正値を、各々表す。また、Ｐ_ｄａｔａとＮＩは、その単位がｄＢｍであり、サービング基地局によってブロードキャストされる。Ｌ１は、ｄＢで表され、ＭＳは、サービング基地局から測定関連パラメータを受信して決定し、ＳＩＮＲTargetとＯｆｆｓｅｔは、その単位がｄＢであり、サービング基地局によって変更され得る。
【００２６】
＜数式１＞は、ＯＬＰＣ方式によって決定される。すなわち、アップリンクデータチャンネル信号に対するアップリンク送信電力は、ＯＬＰＣ方式によって決定される。一方、＜数式１＞は、＜数式２＞に変更され得る。この＜数式２＞において、α、β、γ、δ、及びεは、ＯＦＤＭＡ通信システムの状況に応じて変更可能な変数である。
【００２７】
【数２】
0005630907.tif 000003
【００２８】
次に、アップリンク制御チャンネルのアップリンク送信電力は、＜数式３＞によって制御される。
【００２９】
【数３】
0005630907.tif 000004
ここで、Ｐ_ｃｏｎｔｒｏｌは、ＭＳに割り当てられたアップリンク制御チャンネル送信領域のサブキャリア当たりアップリンク送信電力を、Ｌ２はＭＳとサービング基地局間のリンクの経路損失を、ＯｆｆｓｅｔCLPCはアップリンク制御チャンネル信号のアップリンク送信電力を補正するための補正値を、各々表す。この＜数式３＞において、Ｐ_ｃｏｎｔｒｏｌは単位がｄＢｍであり、Ｌ２は単位がｄＢであり、ＭＳは、サービング基地局から測定関連パラメータを受信して決定する。ＯｆｆｓｅｔCLPCは、その単位がｄＢであり、サービング基地局によって変更可能である。ここで、Ｌ２とＬ１は、ＭＳとサービング基地局間のリンクの経路損失を表すという面では同一であるが、ＭＳがＬ２とＬ１の決定のために使用するパラメータがサービング基地局で異なるように設定されるという特徴を有する。
【００３０】
＜数式３＞は、ＣＬＰＣ方式に対応して決定される。すなわち、アップリンク制御チャンネル信号に対するアップリンク送信電力は、ＣＬＰＣ方式によって決定される。
【００３１】
一方、＜数式３＞は下記の＜数式４＞に変更され得る。この＜数式４＞において、α、β、γ、δ、ε、及びηは、ＯＦＤＭＡ通信システムの状況に応じて変更可能な変数である。
【００３２】
【数４】
0005630907.tif 000005
ＯｆｆｓｅｔCLPCは、次の＜数式５＞のように示すことができる。
【００３３】
【数５】
0005630907.tif 000006
ここで、ΔPowerAdjustは、ＯｆｆｓｅｔCLPCを訂正するための電力訂正値を表す。次に、図２を参照して、本発明の実施形態による基地局の内部構成について説明する。図２は、本発明の実施形態による基地局の内部構成を示す。
【００３４】
図２を参照すると、基地局は、メモリ２１１、制御器２１３、及び送信器２１５を含む。メモリ２１１は、ＭＳがＯＬＰＣ方式及びＣＬＰＣ方式を使用する場合に必要なパラメータ、例えばＮＩ、Ｏｆｆｓｅｔ、ＯｆｆｓｅｔCLPC、及びΔPowerAdjustなどを格納する。制御器２１３は、ＭＳがＯＬＰＣ方式及びＣＬＰＣ方式を使用する場合に必要なパラメータを、送信器２１５を通じてＭＳに送信するように制御する。特に、制御器２１３は、ＭＳからフィードバックされる情報を用いてＯｆｆｓｅｔCLPCとΔPowerAdjustを決定し、アップリンク干渉レベルを考慮してＭＳがＯＬＰＣ方式及びＣＬＰＣ方式を使用する場合に必要なパラメータを決定する。
【００３５】
図２にはメモリ２１１、制御器２１３、及び送信器２１５が別途のブロックで示されているが、これらメモリ２１１、制御器２１３、及び送信器２１５が一つのブロックで実現可能であることはもちろんである。
【００３６】
次に、図３を参照して、本発明の実施形態によるＭＳの内部構成について説明する。  図３は、本発明の実施形態によるＭＳの内部構成を示す。
【００３７】
図３を参照すると、ＭＳは、メモリ３１１、制御器３１３、受信器３１５、電力調整器３１７、送信器３１９、及び経路損失決定器３２１を含む。メモリ３１１は、ＯＬＰＣ方式及びＣＬＰＣ方式を使用する場合に必要なパラメータ、例えばＮＩ、Ｏｆｆｓｅｔ、ＯｆｆｓｅｔCLPC、及びΔPowerAdjustなどを格納する。ＯＬＰＣ方式及びＣＬＰＣ方式を使用する場合に必要なパラメータは、受信器３１５を通じて基地局から受信される。制御器３１３は、電力調整器３１７がＯＬＰＣ方式及びＣＬＰＣ方式を使用する場合に必要なパラメータを用いて該当アップリンクチャンネル信号のアップリンク送信電力を調整するように制御する。ここで、制御器３１３は、送信器３１９が現在送信しなければならないアップリンクチャンネル信号がアップリンクデータチャンネル信号である場合には、ＯＬＰＣ方式を使用してアップリンクデータチャンネル信号のアップリンク送信電力を決定する。一方、送信器３１９が現在送信しなければならないアップリンクチャンネル信号がアップリンク制御チャンネル信号である場合には、制御器３１３は、ＣＬＰＣ方式を使用してアップリンク制御チャンネル信号のアップリンク送信電力を決定する。すなわち、制御器３１３は、＜数式１＞又は＜数式２＞を用いてアップリンクデータチャンネル信号のアップリンク送信電力を決定し、＜数式３＞又は＜数式４＞を用いてアップリンク制御チャンネル信号のアップリンク送信電力を決定する。
【００３８】
また、経路損失決定器３２１は、制御器３１３の制御によって経路損失を決定する。ここで、経路損失は、ＯＬＰＣ方式又はＣＬＰＣ方式を使用する場合に従って異なるように決定される。この経路損失を決定するために使用されるパラメータは、基地局から受信される。
【００３９】
図３には、メモリ３１１、制御器３１３、受信器３１５、電力調整器３１７、送信器３１９、及び経路損失決定器３２１を別途のブロックで示したが、これらメモリ３１１、制御器３１３、受信器３１５、電力調整器３１７、送信器３１９、及び経路損失決定器３２１を一つのブロックで実現可能であることはもちろんである。
【００４０】
図４を参照して、本発明の実施形態による基地局の動作について説明する。図４は、本発明の実施形態による基地局の動作を示すフローチャートである。図４を参照すると、基地局は、ステップ４１１で、ＯＬＰＣ方式及びＣＬＰＣ方式の使用に必要なパラメータを決定する。ＯＬＰＣ方式及びＣＬＰＣ方式を使用する場合に必要なパラメータ及びその決定方法については、図２を参照して説明したので、ここでは、その詳細な説明を省略する。
【００４１】
基地局は、ステップ４１３で、決定されたパラメータをＭＳに送信する。ここで、ＯＬＰＣ方式を使用する場合に必要なパラメータはブロードキャストされ、ＣＬＰＣ方式を使用する場合に必要なパラメータは該当ＭＳにユニキャスト(unicast)される。
【００４２】
次に、図５を参照して、本発明の実施形態によるＭＳ動作について説明する。図５は、本発明の実施形態によるＭＳの動作を示すフローチャートである。
【００４３】
図５を参照すると、ＭＳは、ステップ５１１で、経路損失を決定し、ステップ５１３に進行する。ここで、経路損失は、アップリンク送信電力制御方式がＯＬＰＣ方式であるか、あるいはＣＬＰＣ方式であるかによって異なって決定され、これについては上述したので、その詳細な説明を省略する。ＭＳは、ステップ５１３で、ＯＬＰＣ方式及びＣＬＰＣ方式を使用する場合に必要なパラメータを受信する。ＭＳは、ステップ５１５で、送信動作を遂行しなければならないことを検出し、ステップ５１７で、送信動作がアップリンクデータチャンネル信号の送信動作であるか否かを判定する。その判定結果、送信動作がアップリンクデータチャンネル信号の送信動作である場合には、ＭＳは、ステップ５１９に進行する。ＭＳは、ステップ５１９で、ＯＬＰＣ方式によってアップリンクデータチャンネル信号のアップリンク送信電力を決定する。ここで、アップリンクデータチャンネル信号のアップリンク送信電力は、＜数式１＞又は＜数式２＞を用いて決定される。
【００４４】
一方、ステップ５１７で送信動作がアップリンクデータチャンネル信号の送信動作でないと判定された場合には、ＭＳは、ステップ５２１に進行する。その後、ＭＳは、ステップ５２１で、送信動作がアップリンク制御チャンネル信号の送信動作であるか否かを判定する。その判定結果、送信動作がアップリンク制御チャンネル信号の送信動作である場合に、ＭＳは、ステップ５２３で、ＣＬＰＣ方式によってアップリンク制御チャンネル信号のアップリンク送信電力を決定する。ここで、アップリンク制御チャンネル信号のアップリンク送信電力は、＜数式３＞又は＜数式４＞を用いて決定される。
【００４５】
一方、ステップ５２１で送信動作がアップリンク制御チャンネル信号送信動作でないと判定された場合には、ＭＳは、ステップ５２５に進行する。ＭＳは、ステップ５２５で、該当動作を遂行し、これについては本発明と直接的な関係がないので、その詳細な説明を省略する。
【００４６】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【００４７】
２１１  メモリ
２１３  制御器
２１５  送信器
【図１】
0005630907.tif 000027
【図２】
0005630907.tif 000028
【図３】
0005630907.tif 000029
【図４】
0005630907.tif 000030
【図５】
0005630907.tif 000031